(57)【特許請求の範囲】
【請求項１】
複数の固体発光素子を有する光源と、前記光源を支持して照明器具の器具本体に着脱自在に取り付けられる取付部材と、少なくとも一部が透光性を有する材料で箱形に形成され、且つ前記光源を覆うように前記取付部材に取り付けられるカバーと、前記取付部材に取り付けられて前記光源に給電する電源装置と、前記電源装置に作用して前記光源に関わる機能を実現するための機能部品とを備え、
前記機能部品は、前記カバーに設けられる孔から少なくとも一部を前記カバーの外に露出させた状態で前記カバーに配設され、
前記光源は、前記複数の固体発光素子と、前記取付部材に取り付けられるプリント配線板とを有し、前記プリント配線板は、前記カバーとの対向面において、前記カバーとの対向方向に沿って前記機能部品と重なる領域以外の領域に、前記固体発光素子が実装されることを特徴とする光源ユニット。
【請求項２】
前記プリント配線板は、前記固体発光素子が実装される実装領域と、前記固体発光素子が実装されない非実装領域とを前記対向面に有し、さらに、前記プリント配線板は、前記実装領域及び前記非実装領域に、前記複数の固体発光素子と電気的に接続される配線導体が形成されていることを特徴とする請求項１記載の光源ユニット。
【請求項３】
前記配線導体は、それぞれに同数の前記固体発光素子同士を電気的に並列接続するように構成された複数の第１配線導体と、前記複数の第１配線導体同士を電気的に直列接続するように構成された１乃至複数の第２配線導体とを含むことを特徴とする請求項２記載の光源ユニット。
【請求項４】
前記機能部品を保持する保持部材と、前記保持部材を支持して前記取付部材に取り付けられる台座とを備え、
前記台座は、前記取付部材の前記カバーと対向する側に配置されることを特徴とする請求項１〜３のいずれか１項に記載の光源ユニット。
【請求項５】
請求項１〜４の何れかの光源ユニットと、前記光源ユニットが着脱自在に装着されて前記光源ユニットを支持する器具本体とを備えることを特徴とする照明器具。
【発明の詳細な説明】
【技術分野】
【０００１】
本発明は、固体発光素子を光源とする光源ユニット、及びその光源ユニットを備える照明器具に関する。
【背景技術】
【０００２】
従来の光源ユニットとして、特許文献１記載のＬＥＤランプを例示する。このＬＥＤランプは、ＬＥＤ基板、複数のＬＥＤモジュール、人感センサユニット、センサ台座、透光カバー、放熱部材、電源部、および１対の口金を備えている。このＬＥＤランプは、直管形の蛍光灯の代替品として用いられ、直管形の蛍光灯用の照明器具に取り付け可能に構成されている。
【０００３】
ＬＥＤ基板は、長矩形状に形成され、その一面に複数のＬＥＤモジュールが実装されている。人感センサユニットは、円筒形のハウジングの内部に焦電素子を内蔵しており、人体から放射される赤外線（熱線）を焦電素子で検知することによって人の存在を検出するように構成される。
【０００４】
透光カバーは透光性を有する合成樹脂で円筒形状に形成され、ＬＥＤ基板、人感センサユニット、電源部などを内部に収納する。また、透光カバーの両端にそれぞれ口金が取り付けられる。
【０００５】
人感センサユニットは、センサ台座に支持される。センサ台座は、アクリル樹脂等の透光性材料でＵ字状に形成される。また、センサ台座は、ＬＥＤ基板の長手方向の端部を跨ぐように配置される。つまり、センサ台座は、光軸方向において、ＬＥＤ基板の端部に実装されている複数のＬＥＤモジュールと重なっている。
【０００６】
電源部は、外部電源（商用電源）から供給される交流電力を直流電力に変換するとともに、人感センサユニットからの感知信号を受けとってから所定時間だけ、ＬＥＤモジュールを点灯させるように構成されている。
【０００７】
特許文献１記載のＬＥＤランプは、上述のように人感センサユニットを透明なセンサ台座によって支持しているので、センサ台座がＬＥＤモジュールを跨ぐ構成であっても、ＬＥＤモジュールからの光がセンサ台座によって遮られることを回避できる。
【先行技術文献】
【特許文献】
【０００８】
【特許文献１】特開２０１３−６５５４４号公報
【発明の概要】
【発明が解決しようとする課題】
【０００９】
ところで、特許文献１記載の従来例では、センサ台座がＬＥＤモジュールの光を遮ることはないものの、センサ台座に支持されている人感センサユニットでＬＥＤモジュールの光が遮られてしまう。このように一部のＬＥＤモジュール（光軸方向において人感センサユニットと重なるＬＥＤモジュール）の光が遮られてしまうと、効率の低下が避けられない。
【００１０】
本発明は、上記課題に鑑みて為された発明であり、従来例よりも効率の低下を抑制することを目的とする。
【課題を解決するための手段】
【００１１】
本発明の光源ユニットは、複数の固体発光素子を有する光源と、前記光源を支持して照明器具の器具本体に着脱自在に取り付けられる取付部材と、少なくとも一部が透光性を有する材料で箱形に形成され、且つ前記光源を覆うように前記取付部材に取り付けられるカバーと、前記取付部材に取り付けられて前記光源に給電する電源装置と、前記電源装置に作用して前記光源に関わる機能を実現するための機能部品とを備え、前記機能部品は、前記カバーに設けられる孔から少なくとも一部を前記カバーの外に露出させた状態で前記カバーに配設され、前記光源は、前記複数の固体発光素子と、前記取付部材に取り付けられるプリント配線板とを有し、前記プリント配線板は、前記カバーとの対向面において、前記カバーとの対向方向に沿って前記機能部品と重なる領域以外の領域に、前記固体発光素子が実装されることを特徴とする。
【００１２】
本発明の照明器具は、前記何れかの光源ユニットと、前記光源ユニットが着脱自在に装着されて前記光源ユニットを支持する器具本体とを備えることを特徴とする。
【発明の効果】
【００１３】
本発明の光源ユニット及び照明器具は、従来例よりも効率の低下を抑制することができるという効果がある。
【図面の簡単な説明】
【００１４】
【図１】本発明に係る光源ユニットの一部省略した分解斜視図である。
【図２】本発明に係る照明器具の一部省略した縦断面図である。
【図３】同上の照明器具の横断面図である。
【図４】同上の照明器具の分解斜視図である。
【図５】図５Ａ及び図５Ｂは、同上におけるＬＥＤモジュールの回路構成図である。
【発明を実施するための形態】
【００１５】
以下、本発明に係る光源ユニット２並びに照明器具Ａの実施形態について、図面を参照して詳細に説明する。なお、以下の説明では、特に断りのない限り、図３に示す向きにおいて上下左右の方向を規定し、さらに図３中の紙面に垂直な方向を前後方向（手前側が前側）と規定する。
【００１６】
本実施形態の照明器具Ａは、図３及び図４に示すように光源ユニット２と、器具本体１とで構成される。器具本体１は、吊りボルト２００に固定され、天井材１００の下面（天井面）に直付けされる。光源ユニット２は、器具本体１に対して着脱可能に取り付けられる。
【００１７】
器具本体１は、板金に曲げ加工を施すことで長尺且つ上面（天井材１００との対向面）が開口する扁平な箱状に形成される。また、器具本体１は、天井材１００と反対側（下側）には光源ユニット２を収容するための矩形の凹部１１が長手方向（前後方向）の全長に亘って設けられている（図４参照）。また、器具本体１の左右方向（幅方向）における凹部１１の両側には、凹部１１の開口端縁から延出し且つ外側に向かって上方へ傾斜する傾斜部１２がそれぞれ設けられている（図３参照）。
【００１８】
また、凹部１１の底板１１１には、電線を通すための孔１１１Ａが前後方向（長手方向）におけるほぼ中央に設けられている。さらに、この底板１１１には、前後方向における両端寄りの位置に吊りボルト２００を通すための孔１１１Ｂがそれぞれ設けられている。そして、底板１１１の下面には端子台２５が取り付けられる。
【００１９】
光源ユニット２は、図３及び図４に示すように、複数（例えば、２つ）のＬＥＤモジュール２２と、ＬＥＤモジュール２２が取り付けられる取付部材２１とを備える。また、光源ユニット２は、ＬＥＤモジュール２２を覆うようにして取付部材２１に取り付けられるカバー２３と、電源装置２４と、機能部品とを備える。
【００２０】
ＬＥＤモジュール２２は、前後方向に長い矩形板状に形成されたプリント配線板２２１を有する。プリント配線板２２１は、その下面に複数のＬＥＤ（発光ダイオード）２２２が前後方向（長手方向）に沿って実装されている。また、一方のＬＥＤモジュール２２の前端部には、電源装置２４との間を電気的に接続するためのコネクタ２２４が実装されている（図１参照）。このコネクタ２２４には電線（図示せず）が接続されており、この電線の端部を電源装置２４に接続することでＬＥＤモジュール２２と電源装置２４とが電気的に接続される。
【００２１】
また、各ＬＥＤモジュール２２において隣接するＬＥＤモジュール２２と対向する端部には、電源供給用のコネクタ（図示せず）がそれぞれ実装されている。そして、両ＬＥＤモジュール２２のコネクタ同士を接続することで、一方のＬＥＤモジュール２２から他方のＬＥＤモジュール２２に点灯電力が中継される。
【００２２】
取付部材２１は、板金に曲げ加工を施すことでＵ字状に形成され、長尺且つ矩形板状に形成された底板２１１と、底板２１１の左右方向（幅方向）における両端から上下方向（底板２１１と直交する方向）に延出する一対の側板２１２とで構成される。各側板２１２の先端（上端）には、図１に示すように、互いに離れる向き（外向き）に湾曲する引掛部２１２Ａがそれぞれ全長に亘って設けられている。
【００２３】
底板２１１の前端部には、ＬＥＤモジュール２２と電源装置２４とを電気的に接続する上記電線を通すための孔（図示せず）が設けられている。また、底板２１１の前後方向における中央部には、底板２１１の一部を上向きに突出させることで形成された矩形の凹部（図示せず）が設けられている。この凹部は、両ＬＥＤモジュール２２を取付部材２１に取り付けた状態で、中継用のコネクタと取付部材２１の底板２１１との間の絶縁距離を確保するためのものである。なお、上述したＬＥＤモジュール２２は、例えば取付部材２１の底板２１１の一部を切り起こすことで形成された爪２１１１により取付部材２１に固定される（図１参照）。
【００２４】
また、取付部材２１は、長手方向における両端寄りの位置において幅方向の一端側に延びる一対の引掛金具２１４と、幅方向の他端側に配置される一対の引掛ばね２１５とを有している。
【００２５】
電源装置２４は、電源基板（図示せず）と、電源基板を収納する収納ケース２４２とを有する。電源基板は、前後方向に長い矩形板状に形成されたプリント配線板からなり、このプリント配線板には、少なくともＬＥＤ２２２の点灯電力を生成するために必要な回路部品（例えばトランスやダイオード、コンデンサなど）２４１が実装されている。
【００２６】
収納ケース２４２は、一面（取付部材２１の底板２１１との対向面）が開口し且つ前後方向に長い矩形箱状に形成されている。また、収納ケース２４２は、開口側が取付部材２１の底板２１１と対向するようにして、例えばねじなどを用いて取付部材２１の側板２１２に取り付けられる。
【００２７】
カバー２３は、図１及び図４に示すように第１カバー体２３Ａと第２カバー体２９の２つの部材で構成されている。
【００２８】
第１カバー体２３Ａは、拡散性を有する材料（例えば乳白色のアクリル樹脂）により上面（取付部材２１側の面）が開口する長尺の箱形に形成されている。また、第１カバー体２３Ａは、左右方向（幅方向）において両端側から中央側に行くほど下側への突出量が大きくなるような凸レンズ形状の曲面部２３１を有している（図３参照）。
【００２９】
第１カバー体２３Ａの左右方向における両端部には、図３に示すように、光源ユニット２を器具本体１に取り付けた状態で、上下方向において器具本体１の凹部１１の開口端縁と重なる延出部２３２がそれぞれ設けられている。さらに、第１カバー体２３Ａの左右方向において各延出部２３２の内側には、上側（取付部材２１側）に突出する突壁部２３３がそれぞれ全長に亘って設けられており、各突壁部２３３の先端には内向きに突出する突起部２３３Ａがそれぞれ設けられている。また、各突壁部２３３の根元近くには、それぞれ内向きに突出する支持片２３３Ｂが設けられている。
【００３０】
第２カバー体２９は、曲面部２９０、エンド部２９１、突出片２９２などが合成樹脂成形体として一体に形成されている（図１参照）。曲面部２９０は、第１カバー体２３Ａの曲面部２３１と同一の曲面形状を有する。エンド部２９１は、曲面部２９０の一端側を塞ぐように形成される。突出片２９２は、曲面部２９０の他端側の周縁から突出するように形成される（図２参照）。また、曲面部２９０の裏面（上面）には、上向きに突出する一対の突壁２９３が曲面部２９０と一体に形成されている。さらに、曲面部２９０の中央部分には矩形の孔２９００が開口している。また、曲面部２９０の裏面側における孔２９００の周囲には、全周に亘って壁２９０１が設けられている（図１参照）。なお、第２カバー体２９は、透光性を有しない合成樹脂材料で形成されている。
【００３１】
本実施形態の光源ユニット２は、機能部品として人体検知ユニット２６を備える。人体検知ユニット２６は、図１に示すように焦電型の赤外線センサ２６０、赤外線センサ２６０の出力を信号処理して人体検知信号を出力する信号処理回路（図示せず）、可変抵抗器２６１などがプリント配線板２６２に実装されて構成される。
【００３２】
赤外線センサ２６０は従来周知であって、人体から放射される赤外線を焦電素子で検知することにより、検知領域における人の動き（存在）を検知するように構成される。信号処理回路は、赤外線センサ２６０が人の存在を検知しているときに人体検知信号を出力する。ただし、センサは、焦電素子を用いたパッシブ形の赤外線センサ２６０に限定されず、イメージセンサを用いるもの、あるいは電波や超音波を利用したアクティブ形のセンサであっても構わない。
【００３３】
信号処理回路は、赤外線センサ２６０が人の存在を検知しなくなってから所定の動作保持時間が経過するまでは人体検知信号の出力を継続する。また、信号処理回路は、動作保持時間が経過するまでに赤外線センサ２６０が人の存在を検知しなければ人体検知信号の出力を停止し、動作保持時間が経過する前に赤外線センサ２６０が再度の人の存在を検知すれば人体検知信号の出力を継続するように構成される。可変抵抗器２６１は、動作保持時間を調整するために設けられている。つまり、信号処理回路は、可変抵抗器２６１の抵抗値に対応して動作保持時間を調整するように構成される。なお、図示は省略しているが、人体検知ユニット２６に給電するための給電線と、信号処理回路から人体検知信号を出力するための出力線とがプリント配線板２６２から引き出されている。
【００３４】
また、人体検知ユニット２６は、図１及び図２に示すように保持部材２７に保持される。保持部材２７は、一面が開口した矩形箱状の合成樹脂成形体からなり、その内部に人体検知ユニット２６を収納して保持するように構成される。保持部材２７の外周面には、全周に亘って段部２７０が形成されている。さらに、保持部材２７の底壁２７１には、赤外線センサ２６０のレンズ２６００が挿通される第１窓孔２７１０と、可変抵抗器２６１の操作つまみ２６１０が挿通される第２窓孔２７１１とが貫通している。
【００３５】
保持部材２７は、段部２７０から底壁２７１までの側壁のうち、短手方向（左右方向）に対向する側壁２７２が、内側に向かって凸となる半円筒面形状に形成されている。また、保持部材２７の開口端近傍における左右両側の側面には、一対の第１引掛部２７３と、一対の第２引掛部２７４とが前後方向の両端から突設されている。第１引掛部２７３は、前後方向から見て鈎形（Ｓ字形）に形成されている。第２引掛部２７４は、上下方向から見てＬ字形に形成されている。
【００３６】
また、保持部材２７は、台座２８を介して取付部材２１に取り付けられる。台座２８は、矩形板状の主部２８０と、主部２８０の左右両側から上向きに突出する角筒状の一対の突部２８１とが合成樹脂成形体として一体に形成されている。また、主部２８０の後端側における左右両端には、矩形の挿通溝２８２がそれぞれ設けられている。さらに、主部２８０の前端側における左右両側には、鈎形の突片２８３がそれぞれ下向きに突設されている。
【００３７】
台座２８は、図１に示すように、取付部材２１の底板２１１に設けられた一対の貫通孔２１１０に、一対の突部２８１をそれぞれ嵌め込むことで取付部材２１に取り付けられる。
【００３８】
保持部材２７は、主部２８０と平行にスライドされることにより、一対の第１引掛部２７３を一対の挿通溝２８２にそれぞれ挿通し、且つ一対の第２引掛部２７４を一対の突片２８３にそれぞれ引っ掛けて台座２８に取り付けられる。つまり、保持部材２７は、取付部材２１の長手方向（前後方向）に沿って移動可能な状態で台座２８に取り付けられる。
【００３９】
次に、光源ユニット２の組立手順について説明する。まず最初に、作業者は、電源装置２４を取付部材２１の底板２１１の上面側に取り付け、さらに係止爪２１１１によりＬＥＤモジュール２２を取付部材２１の底板２１１に固定する。その後、作業者は、ＬＥＤモジュール２２のコネクタ２２４から導出する電線を取付部材２１の底板２１１に設けた孔に通し、その端部を電源装置２４に接続する。
【００４０】
続いて、作業者は、人体検知ユニット２６を保持部材２７の内部に収納して保持させる。このとき、作業者は、人体検知ユニット２６から引き出された給電線及び出力線を、保持部材２７の開口端近くに設けられている挿通溝２７６を通して保持部材２７の外に引き出しておく。
【００４１】
次に、作業者は、一対の第１引掛部２７３を一対の挿通溝２８２にそれぞれ挿通し、且つ一対の第２引掛部２７４を一対の突片２８３にそれぞれ引っ掛けることにより、保持部材２７に台座２８を取り付ける。
【００４２】
さらに、作業者は、保持部材２７の先端部（段部２７０から底壁２７１までの部分。以下、同じ。）を、第２カバー体２９の曲面部２９０の孔２９００に、曲面部２９０の裏面側（上側）から挿通し、保持部材２７の段部２７０を曲面部２９０の壁２９０１に突き合わせる。これにより、保持部材２７の先端部が孔２９００を通して第２カバー体２９の外に突出する。このとき、保持部材２７の側壁２７２と第２カバー体２９の曲面部２９０とが面一になるように保持部材２７が構成されている。したがって、保持部材２７と第２カバー体２９との繋ぎ目が目立ち難くなり、外観上の見栄えの向上を図ることができる。
【００４３】
続いて、作業者は、保持部材２７及び台座２８を取り付けた第２カバー体２９を第１カバー体２３Ａに取り付ける。このとき、第２カバー体２９の突出片２９２が、第１カバー体２３Ａの端部（曲面部２３１の端部）の内側に嵌め込まれることにより、第２カバー体２９の曲面部２９０と第１カバー体２３Ａの曲面部２３１とが面一となる。また、第２カバー体２９の一対のスリット（図示せず）に、第１カバー体２３Ａの各突壁部２３３が嵌まり込むことにより、第２カバー体２９が第１カバー体２３Ａに固定される（図２及び図３参照）。なお、２つのカバー体２３Ａ，２９は接着剤で接着されることが好ましい。
【００４４】
そして、作業者は、開口側を上向きにした状態でカバー２３（第１カバー体２３Ａ及び第２カバー体２９）を取付部材２１に組み付ける。このとき、第１カバー体２３Ａの各突壁部２３３にそれぞれ設けた突起部２３３Ａが、取付部材２１の各側板２１２にそれぞれ設けた引掛部２１２Ａに引っ掛かり、第１カバー体２３Ａが取付部材２１に取り付けられる。さらに、作業者は、挿通溝２７６から引き出されている給電線と出力線を、一方の突部２８１の内部を通して取付部材２１の上面側に引き出して電源装置２４と接続する。
【００４５】
最後に、作業者は、取付部材２１の第１カバー体２３Ａの突壁部２３３及び第２カバー体２９の突壁２９３に設けられた長孔状の貫通孔（図示せず）に段付きねじ２３５を挿通する。そして、作業者は、取付部材２１の側板２１２に設けたねじ孔２１２０に、段付きねじ２３５をねじ込むことでカバー２３を取付部材２１にねじ止めする。以上のような手順に従って、光源ユニット２が組み立てられる。
【００４６】
続けて、照明器具Ａの施工手順について説明する。まず最初に、作業者は、天井裏に先行配線された電源線３（図４参照）を器具本体１の孔１１１Ａに通し、さらに室内側に露出する吊りボルト２００を孔１１１Ｂに通した後、吊りボルト２００にナット３００をねじ込んで器具本体１を固定する。その後、作業者は、電源線３の端部を端子台２５に接続し、さらに端子台２５の雌型コネクタ２５１と電源装置２４の雄型コネクタ２４３を接続する。
【００４７】
そして最後に、作業者は、器具本体１の一方の側板１１２に設けられた一対の挿通孔１１２Ａにそれぞれ引掛金具２１４の先端を引っ掛けた後、一対の引掛ばね２１５を器具本体１の他方の側板１１２に設けられた引掛部１１２０に引っ掛ける。そして、作業者が、引掛金具２１４を支点として光源ユニット２を持ち上げるように回転させると、引掛ばね２１５が引掛部１１２０に引っ掛かったままで元の状態に戻ることにより、引掛ばね２１５のばね力で光源ユニット２が器具本体１に保持される。以上のような手順に従って、照明器具Ａが天井に施工される。
【００４８】
而して、本実施形態の照明器具Ａは、例えば、人体検知ユニット２６から人体感知信号が出力されている間は電源装置２４がＬＥＤモジュール２２に定格電力を給電してＬＥＤ２２２を定格点灯させる。一方、人体検知ユニット２６から人体感知信号が入力されなくなり、且つ待機時間が経過したら、電源装置２４がＬＥＤモジュール２２への給電を停止又は出力電力を減少させてＬＥＤ２２２を消灯又は調光点灯する。つまり、本実施形態の光源ユニット２を用いることにより、人の存否に応じて点滅（あるいは定格点灯と調光点灯の切り換え）を行って省エネルギー化を図ることができる。
【００４９】
ところで、人体検知ユニット２６、保持部材２７並びに台座２８は、取付部材２１に取り付けられた状態において、ＬＥＤモジュール２２の長手方向の一端部を下方から覆い隠している（図２参照）。つまり、前記一端部にＬＥＤ２２２が存在したとしても、それらのＬＥＤ２２２から放射される光の大部分が人体検知ユニット２６、保持部材２７並びに台座２８（以下、機能部品と総称する。）に遮られてしまうことになる。
【００５０】
そこで、本実施形態の光源ユニット２では、図１及び図２に示すように、ＬＥＤモジュール２２の前記一端部にＬＥＤ２２２が実装されていない。つまり、ＬＥＤ２２２は、プリント配線板２２１における前記一端部（図１において破線で囲まれた非実装領域Ｘ１）を除く領域（図１において１点破線で囲まれた実装領域Ｘ２）にのみ実装される。
【００５１】
したがって、本実施形態の光源ユニット２では、ＬＥＤモジュール２２から放射される光のうちで機能部品に遮られる光がほとんどなくなるので、従来例よりも効率の低下が抑制される。なお、光源ユニット２の効率は、光源ユニット２の消費電力（電源装置２４に入力される電力）に対するＬＥＤモジュール２２の発光量（光束）の割合で示される。
【００５２】
上述のように本実施形態の光源ユニット２は、複数の固体発光素子（ＬＥＤ２２２）を有する光源（ＬＥＤモジュール２２）と、光源を支持して照明器具Ａの器具本体１に着脱自在に取り付けられる取付部材２１とを備える。また、本実施形態の光源ユニット２は、少なくとも一部が透光性を有する材料で箱形に形成され、且つ光源を覆うように取付部材２１に取り付けられるカバー２３を備える。さらに、本実施形態の光源ユニット２は、取付部材２１に取り付けられて光源に給電する電源装置２４と、電源装置２４に作用して光源に関わる機能を実現するための機能部品（人体検知ユニット２６、保持部材２７並びに台座２８）とを備える。機能部品は、カバー（第２カバー体２９）に設けられる孔２９００から少なくとも一部をカバー（第２カバー体２９）の外に露出させた状態でカバー（第２カバー体２９）に配設される。光源（ＬＥＤモジュール２２）は、複数の固体発光素子（ＬＥＤ２２２）と、取付部材２１に取り付けられるプリント配線板２２１とを有する。プリント配線板２２１は、カバー（第２カバー体２９）との対向面において、カバー（第２カバー体２９）との対向方向（上下方向）に沿って機能部品と重なる領域Ｘ１以外の領域Ｘ２に、固体発光素子（ＬＥＤ２２２）が実装される。
【００５３】
また、本実施形態の照明器具Ａは、光源ユニット２と、光源ユニット２が着脱自在に装着されて光源ユニット２を支持する器具本体１とを備える。
【００５４】
本実施形態の光源ユニット２及び照明器具Ａは上述のように構成され、光源（ＬＥＤモジュール２２）の光が機能部品に遮られて無駄になることが抑えられるので、従来例よりも効率の低下を抑制することができる。
【００５５】
ここで、本実施形態の光源ユニット２は、カバー２３が２つの部材（第１カバー体２３Ａと第２カバー体２９）で構成される点を除けば、基本的に機能部品を搭載しないタイプ（基本タイプ）の光源ユニットと同一の構造を有している。したがって、本実施形態の光源ユニット２は、基本タイプの光源ユニットからカバーを変更し、且つ機能部品を内蔵させるだけの簡単な仕様変更のみで製造可能で有り、基本タイプの光源ユニットからの製造コストの上昇を極力抑えることができる。
【００５６】
したがって、ＬＥＤモジュール２２についても、基本タイプのＬＥＤモジュール２２と、機能部品が搭載される本実施形態の光源ユニット２におけるＬＥＤモジュール２２とで、プリント配線板２２１が共用されることが好ましい。そのため、本実施形態の光源ユニット２では、プリント配線板２２１の一部の領域（機能部品と重なる領域）にＬＥＤ２２２が実装されないようにしてＬＥＤモジュール２２が構成されている。
【００５７】
本実施形態の光源ユニット２において、プリント配線板２２１は、固体発光素子（ＬＥＤ２２２）が実装される実装領域Ｘ２と、固体発光素子（ＬＥＤ２２２）が実装されない非実装領域Ｘ１とを前記対向面（下面）に有することが好ましい。さらに、プリント配線板２２１は、実装領域Ｘ２及び非実装領域Ｘ１に、複数の固体発光素子（ＬＥＤ２２２）と電気的に接続される配線導体が形成されていることが好ましい。
【００５８】
本実施形態の光源ユニット２が上述のように構成されれば、機能部品を搭載しない光源ユニットとの間でプリント配線板２２１が共用できるので、製造コストの削減を図ることができる。
【００５９】
さらに、本実施形態の光源ユニット２において、前記配線導体は、それぞれに同数の固体発光素子（ＬＥＤ２２２）同士を電気的に並列接続するように構成された複数の第１配線導体２２１Ａを備えることが好ましい。また、本実施形態の光源ユニット２において、前記配線導体は、複数の第１配線導体２２１Ａ同士を電気的に直列接続するように構成された１乃至複数の第２配線導体２２１Ｂを含むことが好ましい。
【００６０】
例えば、図５Ａ及び図５Ｂに示すように、４個のＬＥＤ２２２が第１配線導体２２１Ａで並列接続されることによって１つの並列回路が構成され、さらに、複数の並列回路が第２配線導体２２１Ｂによって直列に接続される。そして、機能部品が搭載されない基本タイプの光源ユニット２においては、全ての第１配線導体２２１ＡにＬＥＤ２２２が不足なく接続される。
【００６１】
一方、本実施形態の光源ユニット２においては、図５Ａに示すように、１つの並列回路を構成する４個のＬＥＤ２２２が実装されず、ＬＥＤ２２２が実装されない第１配線導体２２１Ａの一部がジャンパ部品２２５で短絡される。なお、非実装領域が並列回路の２つ分の大きさであれば、図５Ｂに示すように２つの並列回路を構成する合計８個のＬＥＤ２２２が実装されず、ＬＥＤ２２２が実装されない第１配線導体２２１Ａの一部がジャンパ部品２２５で短絡される。
【００６２】
例えば、１つの並列回路を構成する４個のＬＥＤ２２２のうちの３個のＬＥＤ２２２が実装されず、１個のＬＥＤ２２２のみが実装された場合、当該１個のＬＥＤ２２２に流れる電流が他のＬＥＤ２２２に流れる電流の約４倍となる。その結果、当該１個のＬＥＤ２２２の輝度が他のＬＥＤ２２２の輝度よりも高くなって輝度むらが生じてしまう。また、当該１個のＬＥＤ２２２には、単位時間当たり、他のＬＥＤ２２２の４倍の電流が流れてしまうために発熱量が増大し、短寿命化を招いてしまう虞がある。これに対して、本実施形態の光源ユニット２が上述のように構成されれば、各ＬＥＤ２２２に流れる電流の差が減少するので、ＬＥＤモジュール２２の輝度むらを抑えることができ、且つ過剰な発熱によるＬＥＤ２２２の短寿命化を抑えることができる。
【００６３】
なお、人体検知ユニット２６の代わりに明るさ検知ユニットを機能部品として光源ユニット２に搭載しても構わない。明るさ検知ユニットは、赤外線センサ２６０の代わりに明るさセンサがプリント配線板２６２に実装されて構成される。明るさセンサは、例えば、太陽電池などの光電変換素子を利用して照明空間の明るさ（照度）を検知（計測）する。そして、信号処理回路は、明るさセンサの計測値を所定のしきい値と比較し、計測値がしきい値を下回ったときに明るさ検知信号を出力するように構成される。電源装置２４は、例えば、明るさ検知信号が出力されているときにＬＥＤモジュール２２に給電してＬＥＤ２２２を点灯させるように構成される。さらに、電源装置２４は、例えば、明るさ検知信号が出力されていないときにＬＥＤモジュール２２への給電を停止又は出力電力を減少させてＬＥＤ２２２を消灯又は調光点灯するように構成される。また、人体検知ユニット２６や明るさ検知ユニットの他にも、例えば、引き紐式のスイッチ（いわゆるプルスイッチ）を機能部品として光源ユニット２に搭載しても構わない。
【符号の説明】
【００６４】
１  器具本体
２  光源ユニット
２１  取付部材
２２  ＬＥＤモジュール（光源）
２３  カバー
２４  電源装置
２６  人体検知ユニット（機能部品）
２７  保持部材（機能部品）
２８  台座（機能部品）
２９  第２カバー体（カバー）
２２１  プリント配線板
２２２  発光ダイオード（固体発光素子）
【図１】
0006340724.tif 000002
【図２】
0006340724.tif 000003
【図３】
0006340724.tif 000004
【図４】
0006340724.tif 000005
【図５】
0006340724.tif 000006